(57)【要約】【課題】履き口より上のアキレス腱を保護するための保護パーツを着脱自在にでき、これを外した後もデザイン的に良好な靴を提供する。【解決手段】保護パーツを装着してアキレス腱を保護する靴であって、保護パーツは取付部と保護部とからなり、その取付部は雄型面ファスナーを具備するものであり、靴本体は踵部に雌型面ファスナーを具備するか、または少なくとも踵部の胛被を雌型面ファスナー機能を有する素材にて形成したものであり、靴本体の踵部に、靴本体の履き口より前記保護部が突出した状態で保護パーツを係止してなることを特徴とする。【選択図】  図２
2004181123.tif 000002
【特許請求の範囲】
【請求項１】
保護パーツを装着してアキレス腱を保護する靴であって、
保護パーツは取付部と保護部とからなり、その取付部は雄型面ファスナーを具備するものであり、
靴本体は踵部に雌型面ファスナーを具備するか、または少なくとも踵部の胛被を雌型面ファスナー機能を有する素材にて形成したものであり、
靴本体の踵部に、靴本体の履き口より前記保護部が突出した状態で保護パーツを係止してなることを特徴とするアキレス腱保護パーツを備えた靴。
【請求項２】
保護パーツは、保護部に弾性体を具備するものであることを特徴とする請求項１記載のアキレス腱保護パーツを備えた靴。
【発明の詳細な説明】
【０００１】
【発明の属する技術分野】
本発明はリハビリ用靴に関し、アキレス腱を保護する必要がある時は保護パーツを装着でき、その必要がなくなった時は保護パーツを外して通常使用できる靴に関する。
【０００２】
【従来の技術】
従来より、リハビリに適した靴といえば、足の挿入がしやすいように履口が広く開口できるようにして、面ファスナーを用いて緊締するものが一般に用いられている。また、面ファスナーを用いた緊締部材を別体に作製し、足を靴に入れた後緊締部材で緊締するような靴も提案されている。（例えば、特許文献１参照）
【０００３】
【特許文献１】
特開２００２−１９１４０７号公報
【０００４】
ところで、足の障害としてアキレス腱を痛めることはよくあることであり、軽度の障害の場合は、ギブスや包帯等で固める必要がないので靴を履くことが可能な場合が多い。そのような場合は、障害が完治するまでアキレス腱を保護できるように踵部胛被を上方に立ち上げれば良いが、そのような靴は、アキレス腱が完治した後にはデザイン的な問題で履用しがたいものである。
【０００５】
【発明が解決しようとする課題】
本発明は、履き口より上のアキレス腱を保護するための保護パーツを着脱自在にでき、これを外した後もデザイン的に良好な靴を提供することを目的とする。
【０００６】
【課題を解決するための手段】
請求項１の発明のアキレス腱保護パーツを備えた靴は、保護パーツを装着してアキレス腱を保護する靴であって、保護パーツは取付部と保護部とからなり、その取付部は雄型面ファスナーを具備するものであり、靴本体は踵部に雌型面ファスナーを具備するか、または少なくとも踵部の胛被を雌型面ファスナー機能を有する素材にて形成したものであり、靴本体の踵部に、靴本体の履き口より前記保護部が突出した状態で前記取付部にて保護パーツを係止してなることを特徴とする。
請求項１の靴は、上記の構成により、保護パーツを踵部に装着するだけで、アキレス腱の周りを前記保護部で囲むようにするので負傷したアキレス腱の保護ができるものである。また、装着状態で足首を急激に動かすような（例えば爪先をのばすような）事態が起きた場合でも、面ファスナーの係止が一部外れアキレス腱を痛めにくいものである。
ここで踵部の胛被を雌型面ファスナー機能を有する素材とすれば、靴本体に特別な着脱手段が必要ないのでデザイン的に優れるとともに、保護パーツの取り付け位置の変更による高さ調整が可能となる。
【０００７】
また、請求項２の発明は、保護パーツの保護部に弾性体を具備するものであることを特徴とする。
請求項２では、上記の構成により、弾性体がクッション性を発揮してアキレス腱をより確実に保護できるとともに、弾性体により保護パーツの型くずれ防止いわゆる保形効果も奏するものである。
【０００８】
【発明の実施の形態】
以下、本発明を図面を用いて説明する。図１に示すように、本発明の靴は踵部胛被にアキレス腱保護パーツを着脱自在に備えた構造である。
【０００９】
保護パーツは柔軟な素材を用いて作製されるものが好ましく、例えば皮、人工皮革、布（起毛材、ニット等）、合成ゴム、繊維交絡体、発泡体、等のシート状物が単独又は組み合わされて用いられる。ゴムや合成樹脂からなる成型品であっても良い。そして、保護パーツはその取付部となる箇所にフックが密生した係止面を有する雄型面ファスナーを具備するものである。
シート状物を用いて保護パーツを作製する場合は、シート状物を所望の形状に裁断し保護パーツの取付部となる箇所に雄型面ファスナーを接着や縫着で取り付けて作製する。その際、雄型面ファスナーは一枚物に限らず複数枚を適宜の箇所に取り付けても良く、十分な係止力を有する面積とされる。
保護パーツの形状は特に限定されるものではないが、靴本体との面ファスナーによる係止力を得るため図２に示すように下側を大きくした形状すなわち山型とするのが好ましい。
【００１０】
また、保護パーツはアキレス腱を支持するような位置に弾性体を設け、その断面図に示すように内側に凸設した凸設部を形成したものが良い（図２）。弾性体を形成する材料としては、三軸織物（ダブルラッセル）、繊維交絡体、発泡体、繊維や発泡体小片を袋に詰めたもの、等が使用される。
さらに、図２に示すように弾性体を二列（縦方向）とし、この二列でアキレス腱の両サイドを支持するようにすることが好ましい。二列の弾性体は、一つの弾性体を加圧成形等によって中央をプレスして両側二列の弾性体を成形したものであっても良いし、二つの弾性体を用いて形成しても良い。
二列の弾性体を用いれば、アキレス腱をより確実に保護できるとともに、履用による保護パーツの型くずれをより抑制する効果もある。また、前記凸設部がアキレス腱を軽く押すように機能するので密着による保温効果も高まる。
なお、弾性体は、二枚のシートに挟み込みこんでも良いしシートの一面に接着、縫着等で取り付けても良い。
【００１１】
靴本体にはその踵部に雌型面ファスナーを設けるか、雌型面ファスナー機能を有する素材にて靴本体の踵部の胛被を形成する。雌型面ファスナー用いる場合はこれを踵部の胛被の適宜の箇所、好ましくは履き口部に縫着や接着する。
雌型面ファスナー又は雌型面ファスナー機能を有する素材としては、ループを有したパイル地、Ｊフックタイプのパイル地、雄雌混在タイプのの面ファスナー、メッシュ状ダブルラッセル、メッシュ材料等が使用できる。
なお、雌型面ファスナー機能を有する素材で胛被を形成する場合は、踵部の胛被のみならず、爪先部まで含めて胛被全体を上記素材に形成しても良い。
【００１２】
【実施例】
パイル地（クラレ製ベルクロＢ１０００）に、ウレタンフォーム／ナイロン編布を積層して３層の胛被材を作製した。この胛被材を所定の形状に裁断して踵部の胛被とし別途作製の爪先部胛被及び底部胛被に縫着し靴胛被を作製した。この靴胛被をラストモールドに吊り込み、別途成形した靴底を靴胛被に接着して靴本体を作製した。
【００１３】
所定形状のニット地２枚の間の保護パーツの保護部となる箇所に、断面半円（直径３０ｍｍ×長さ５ｃｍ）のウレタンフォームを２本挟み込んで、ニット地を縫着した後、保護パーツの取付部となる箇所に雄型面ファスナー（クラレ製ベロクロＡ０３８０；高さ３ｃｍ×幅１２ｃｍ）を縫着し図２に示すように山形の保護パーツ（高さ１０×幅１２ｃｍ）を作製した。
得られた靴本体にこの保護パーツを、図１に示すようにその取付部を靴本体の踵部に係止して保護部を履き口から上方のアキレス腱に添うように装着したところ、ある程度まで足首の動きに追従しアキレス腱保護靴として機能することが確認された。
【００１４】
【発明の効果】
本発明のアキレス腱保護パーツを備えた靴は、保護パーツの装着状態ではその保護部によりアキレス腱の保護・保温ができるとともに、保護パーツを外せば通常使用の靴として使用できるので靴の利用価値を高めることができたものである。
【図面の簡単な説明】
【図１】本発明のアキレス腱保護パーツを備えた靴を示す側面図
【図２】アキレス腱保護パーツの一部切り欠いた説明図、及びその断面説明図
【図１】
2004181123.tif 000003
【図２】
2004181123.tif 000004